【手続補正書】
【提出日】平成30年4月3日(2018.4.3)
【手続補正１】
【補正対象書類名】特許請求の範囲
【補正対象項目名】全文
【補正方法】変更
【補正の内容】
【特許請求の範囲】
【請求項１】
コンピュータプロセッサによって、複数の消費者についての資源消費データを受信するステップと、
前記複数の消費者のうちの第１の消費者の地理的場所が、前記複数の消費者のうちの第２の消費者の地理的場所の予め定められた距離内にあると判断すると、前記コンピュータプロセッサによって、前記第１の消費者および前記第２の消費者を類似消費者の第１のグループに割り当てるステップと、
前記コンピュータプロセッサによって、類似消費者の前記第１のグループに割り当てられた消費者を、それらのそれぞれの資源消費データに基づいてランク付けするステップとを含む、方法。
【請求項２】
類似消費者の前記第１のグループ内での前記第１の消費者のランキングに関するデータを含む資源消費報告を作成するステップと、
前記資源消費報告を前記第１の消費者に送信するステップとをさらに含む、請求項１に記載の方法。
【請求項３】
前記複数の消費者のうちの第３の消費者の住居サイズが、前記複数の消費者のうちの第４の消費者の住居タイプの予め定められた範囲内にあると判断するステップと、
前記第３の消費者および前記第４の消費者を類似消費者の第２のグループに割り当てるステップと、
類似消費者の前記第２のグループに割り当てられた消費者を、それらのそれぞれの資源消費データに基づいてランク付けするステップとをさらに含む、請求項１に記載の方法。
【請求項４】
類似消費者の前記第１のグループに割り当てられた消費者をランク付けするステップは、
前記第１の消費者の資源消費を前記第２の消費者の資源消費と比較するステップと、
前記第１の消費者の前記資源消費は前記第２の消費者の前記資源消費よりも少ないと判断するステップと、
前記第１の消費者に第１のランクを割り当て、前記第２の消費者に、前記第１のランクとは異なる第２のランクを割り当てるステップとをさらに含み、前記第１のランクは前記第２のランクよりも高い、請求項１に記載の方法。
【請求項５】
類似消費者の前記第１のグループに割り当てられた消費者をランク付けするステップは、
過去のピークイベント中の資源消費からの前記第１の消費者の資源消費の減少を、前記過去のピークイベント中の資源消費からの前記第２の消費者の資源消費の減少と比較するステップをさらに含み、前記第１の消費者の前記資源減少の減少は前記第１の消費者のベースライン資源消費から測定され、前記第２の消費者の前記資源消費の減少は前記第２の消費者のベースライン資源消費から測定され、前記ランク付けするステップはさらに、
前記第１の消費者の前記資源消費の減少は前記第２の消費者の前記資源消費の減少よりも大きいと判断するステップと、
前記第１の消費者に第１のランクを割り当て、前記第２の消費者に、前記第１のランクとは異なる第２のランクを割り当てるステップとをさらに含み、前記第１のランクは前記第２のランクよりも高い、請求項１に記載の方法。
【請求項６】
ピークイベントが予測時間に起こるであろうと判断するステップと、
前記ピークイベントに関するデータと消費者に前記ピークイベント中に消費を減少させるよう奨励するメッセージとを含む資源消費報告を作成するステップと、
前記予測時間に先立って、類似消費者の前記第１のグループに割り当てられた少なくとも１人の消費者に前記資源消費報告を送信するステップとをさらに含む、請求項１に記載の方法。
【請求項７】
前記ピークイベントが予測時間に起こるであろうと判断するステップは、
前記第１の消費者の前記地理的場所についての予測温度を示す天気予報データを分析するステップと、
前記分析するステップから、前記予測時間についての予測温度が、前記予測時間中に資源消費が増加するであろうということを示す予め定められたしきい値を超えると判断するステップとをさらに含む、請求項６に記載の方法。
【請求項８】
コンピュータプロセッサと、
命令を格納するメモリとを含む、システムであって、前記命令は、実行されると、前記コンピュータプロセッサに、
複数の消費者についての資源消費データを受信させ、
前記複数の消費者からの類似消費者の部分集合を、類似消費者の第１のグループに割り当てさせ、
前記資源消費データに基づいて第１の消費者についての資源消費報告を作成させ、前記資源消費報告は、第１のユーザの資源消費を、類似消費者の前記第１のグループに割り当てられた少なくとも第２の消費者の資源消費と比較する、比較データを含む、システム。
【請求項９】
前記比較データは、第１の期間中の前記第１の消費者の資源消費と、第２の期間中の前記第２の消費者の資源消費とを含む、請求項８に記載のシステム。
【請求項１０】
前記比較データは、第１の期間中の前記第１の消費者の前記資源消費を示す第１の棒グラフと、第１の期間中の前記第２の消費者の前記資源消費を示す第２の棒グラフとを含む、請求項９に記載のシステム。
【請求項１１】
前記命令はさらに、前記コンピュータプロセッサに、類似消費者の前記第１のグループに割り当てられた消費者を、それらのそれぞれの資源消費データに基づいてランク付けさせ、前記比較データは、類似消費者の前記第１のグループに割り当てられた前記消費者の中での前記第１の消費者についてのランキングを含む、請求項８に記載のシステム。
【請求項１２】
前記命令はさらに、前記コンピュータプロセッサに、前記第１の消費者の以前のランクからの前記第１の消費者についてのランクの変化を判断させ、前記比較データは、前記ランクの変化を含む、請求項１１に記載のシステム。
【請求項１３】
前記命令はさらに、前記コンピュータプロセッサに、前記複数の消費者を、それらのそれぞれの資源消費データに基づいてランク付けさせ、前記比較データは、前記複数の消費者の中での前記第１のユーザのランクを含む、請求項８に記載のシステム。
【請求項１４】
前記命令はさらに、前記コンピュータプロセッサに、
類似消費者の前記第１のグループに割り当てられた消費者のうち、特定されたしきい値より資源消費が下回った、成績上位の部分集合を識別させ、
類似消費者の前記第１のグループに割り当てられた消費者のうちの前記成績上位の部分集合の平均資源消費を計算させ、前記比較データは、消費者のうちの前記成績上位の部分集合の前記平均資源消費を含む、請求項８に記載のシステム。
【請求項１５】
コンピュータプロセッサに、
複数の消費者についての資源消費データを受信させ、
前記複数の消費者のうちの第１の消費者が前記複数の消費者のうちの第２の消費者と人口統計学的基準を共有すると判断させ、
前記第１の消費者および前記第２の消費者を類似消費者の第１のグループに割り当てさせ、
類似消費者の前記第１のグループに割り当てられた消費者を、それらのそれぞれの資源消費データに基づいてランク付けさせる、プログラム。
【請求項１６】
前記第１の消費者が前記第２の消費者と人口統計学的基準を共有すると判断することは、
前記第１の消費者に関連付けられた地理的場所を、前記第２の消費者に関連付けられた地理的場所と比較することと、
前記第１の消費者に関連付けられた前記地理的場所が、前記第２の消費者に関連付けられた前記地理的場所の予め定められた距離内にあると判断することとを含む、請求項１５に記載のプログラム。
【請求項１７】
前記第１の消費者が前記第２の消費者と人口統計学的基準を共有すると判断することは、
前記第１の消費者の平均資源消費を前記第２の消費者の平均資源消費と比較することと、
前記第１の消費者の前記平均資源消費が、前記第２の消費者の前記平均資源消費の予め定められた範囲内にあると判断することとを含む、請求項１５に記載のプログラム。
【請求項１８】
前記第１の消費者が前記第２の消費者と人口統計学的基準を共有すると判断することは、
前記第１の消費者の収入を前記第２の消費者の収入と比較することと、
前記第１の消費者の前記収入が、前記第２の消費者の前記収入の予め定められた範囲内にあると判断することとを含む、請求項１５に記載のプログラム。
【請求項１９】
前記第１の消費者が前記第２の消費者と人口統計学的基準を共有すると判断することは、
前記第１の消費者の住居サイズを前記第２の消費者の住居サイズと比較することと、
前記第１の消費者の前記住居サイズが、前記第２の消費者の平均住居サイズの予め定められた範囲内にあると判断することとを含む、請求項１５に記載のプログラム。
【請求項２０】
前記プログラムはさらに、前記コンピュータプロセッサに、
類似消費者の前記第１のグループ内での前記第１の消費者のランキングに関するデータを含む資源消費報告を作成させ、
前記資源消費報告を前記第１の消費者に送信させる、請求項１５に記載のプログラム。